(57)【要約】【課題】仕切数が多くても一枚のシートを折り曲げて形成することができる仕切体を提供する。【解決手段】底面部２と、底面部２の側縁から上方に立設された側面部３と、この側面部３の側縁から底面部２上に延出する横仕切壁部４とを有し、側面部３は、一方の側縁から上下方向に対して４５度の角度をなして他方の側縁に至る折目Ｃ２で折り重ねられた、基端側部分３ｂと先端側部分３ａとを有しており、基端側部分３ｂは底面部２の側縁から上方に延出しており、先端側部分３ａの側縁から横仕切壁部４が延出している構造とする。【選択図】図１
2008162655.tif 000002
【特許請求の範囲】
【請求項１】
一枚のシートが折り曲げられて形成された仕切体であって、
底面部と、底面部の側縁から上方に立設された側面部と、この側面部の側縁から底面部上に延出する横仕切壁部とを有し、
前記側面部は、一方の側縁から上下方向に対して４５度の角度をなして他方の側縁に至る折目で折り重ねられた、基端側部分と先端側部分とを有しており、
前記基端側部分は前記底面部の側縁から上方に延出しており、前記横仕切壁部は前記先端側部分の側縁から延出している、
ことを特徴とする仕切体。
【請求項２】
前記横仕切壁部および側面部が、前記底面部の側縁に沿って所定の間隔で複数形成されており、且つ前記側面部間の間隔が前記横仕切壁部の延出長さより短くされている、請求項１記載の仕切体。
【請求項３】
前記底面部は、前記横仕切壁部と交差する方向に沿う部分が上方に折り出されて形成された縦仕切壁部を有する、請求項１または２記載の仕切体。
【請求項４】
前記横仕切壁部における前記縦仕切壁部と交差する位置に、下縁から上下方向中間部までスリット状の切欠が形成され、
前記縦仕切壁部における前記横仕切壁部と交差する位置に、上縁から上下方向中間部までスリット状の切欠が形成されており、
前記縦仕切壁部の切欠と前記横仕切壁部の切欠とが噛み合わされている、請求項３記載の仕切体。
【発明の詳細な説明】
【技術分野】
【０００１】
本発明は、ダンボール箱等の箱体内に複数の物品を収納する際、物品間を仕切るために使用される仕切体に関するものである。
【背景技術】
【０００２】
従来、仕切数の多い仕切体は、別体として形成された複数の部材を組み立てることにより形成されていた（例えば、特許文献１、２参照）。
【特許文献１】特開２００４−４２９１９号公報
【特許文献２】特開２００４−３３１１６０号公報
【発明の開示】
【発明が解決しようとする課題】
【０００３】
しかし、従来の仕切体は複数の部材の組み合わせによって形成するため、部品点数が多く、製造、輸送、保管、組立等の作業が煩雑になるという問題点があった。
そこで、本発明の主たる課題は、仕切数が多くても一枚のシートを折り曲げて形成することができる仕切体を提供することにある。
【課題を解決するための手段】
【０００４】
上記課題を解決した本発明は次記のとおりである。
なお、本発明における方向を示す語句は、発明を説明する上で便宜上定めたものであり、製品として使用される際の方向を限定するものではない。
【０００５】
＜請求項１記載の発明＞
一枚のシートが折り曲げられて形成された仕切体であって、
底面部と、底面部の側縁から上方に立設された側面部と、この側面部の側縁から底面部上に延出する横仕切壁部とを有し、
前記側面部は、一方の側縁から上下方向に対して４５度の角度をなして他方の側縁に至る折目で折り重ねられた、基端側部分と先端側部分とを有しており、
前記基端側部分は前記底面部の側縁から上方に延出しており、前記横仕切壁部は前記先端側部分の側縁から延出している、
ことを特徴とする仕切体。
【０００６】
（作用効果）
このように、側面部を、一方の側縁から上下方向に対して４５度の角度をなして他方の側縁に至る折目で折り重ねられた、基端側部分と先端側部分とで構成し、基端側部分を底面部の側縁から上方に延出させ、横仕切壁部を先端側部分の側縁から延出させると、平面状に展開することができるとともに、展開状態では、横仕切壁部および側面部が底面部の側縁から側方に直線的に延出するため、これらを底面部の側縁に沿って適宜の間隔で増やすだけで容易に仕切数を増加させることができる。よって、仕切数が多くても一枚のシートを折り曲げて形成することができる。また、仕切対象物がビン等のいわゆる壊れ物である場合、底面部がクッションになるという利点ももたらされる。
【０００７】
＜請求項２記載の発明＞
前記横仕切壁部および側面部が、前記底面部の側縁に沿って所定の間隔で複数形成されており、且つ前記側面部間の間隔が前記横仕切壁部の延出長さより短くされている、請求項１記載の仕切体。
【０００８】
（作用効果）
このように構成することにより、無駄なく且つ容易に、横仕切壁部の数を増加させることができる。
【０００９】
＜請求項３記載の発明＞
前記底面部は、前記横仕切壁部と交差する方向に沿う部分が上方に折り出されて形成された縦仕切壁部を有する、請求項１または２記載の仕切体。
【００１０】
（作用効果）
このように、底面部の一部を上方に折り出して縦仕切壁部を設けることにより、縦横に多数の仕切を有する格子状の仕切体を、一枚のシートを折り曲げて形成することができる。
【００１１】
＜請求項４記載の発明＞
前記横仕切壁部における前記縦仕切壁部と交差する位置に、下縁から上下方向中間部までスリット状の切欠が形成され、
前記縦仕切壁部における前記横仕切壁部と交差する位置に、上縁から上下方向中間部までスリット状の切欠が形成されており、
前記縦仕切壁部の切欠と前記横仕切壁部の切欠とが噛み合わされている、請求項３記載の仕切体。
【００１２】
（作用効果）
縦仕切壁部を設ける場合、本項記載のように、横仕切壁部と縦仕切壁部とを各々の切欠をかみ合わせることにより、横仕切壁部と縦仕切壁部とを相互に固定するのが望ましい。
【発明の効果】
【００１３】
以上のとおり、本発明によれば、仕切数が多くても一枚のシートを折り曲げて形成できるようになる等の利点がもたらされる。
【発明を実施するための最良の形態】
【００１４】
以下、本発明の一実施形態について添付図面を参照しつつ説明する。
図１は組立後の仕切体１の斜視図である。この仕切体１は、長方形状の底面部２と、底面部２の側縁から上方に立設された二等辺三角形状の側面部３と、この側面部３の側縁から底面部２上に延出する長方形状の横仕切壁部４とを有するものである。底面部２の寸法・形状は、仕切体を使用する箱の内寸に合わせるのが好ましい。
【００１５】
展開状態を示す図２及びその要部拡大図である図３を用いてより詳細に説明すると、本仕切体１では、底面部２の第一の側縁２Ｅから、当該側縁２Ｅと直交する方向に沿って、側面部３及び横仕切壁部４となる帯状部分３４が延出されている。この帯状部分３４は、横仕切壁部４の高さ４ｈに等しい幅３４ｗと、側面部３の高さ３ｈ及び横仕切壁部４の延出長さ４Ｌの和に等しい長さとを有するものである。帯状部分３４の幅３４ｗは、底面部２の寸法や、横仕切壁部４の数により制限されるが、その範囲内では適宜定めることができる。これに対して、帯状部分３４の長さ３４Ｌは特に制限が無く、任意に定めることができる。
【００１６】
図示形態では、このような帯状部分３４が、底面部２の第一の側縁２Ｅに沿って所定の間隔３４ｄで複数枚形成されている。この間隔３４ｄは適宜定めることができ、ゼロ（全く無し）でも良いが、組立作業時に帯状部分３４相互が引っ掛かるのを防止するために、ゼロより大きくするのが好ましい。また、この間隔３４ｄをあまり広げすぎると、横仕切壁部４を多数（例えば図示のように５枚程度）設けることができなくなるため、横仕切壁部４の延出長さ４Ｌよりは狭くするのが好ましく、さらにトリム（裁断により発生する廃材）を低減するためには横仕切壁部４の高さ４ｈよりも狭くするのが好ましい。
【００１７】
帯状部分３４は、底面部２側から順に、側面部３となる正方形状の側面構成部分（以下、側面部３と同じ符号を用いる）と、長方形状の横仕切壁部４とを連続して設けたものである。側面構成部分３と底面部２との境界線は谷折目（以下、第１の折目ともいう）Ｃ１とされ、側面構成部分３と横仕切壁部４との境界線は山折目（以下、第３の折目ともいう）Ｃ３とされ、側面構成部分３における対角線は山折目（上下方向に対して４５度の角度をなす折目であり、以下、第２の折目ともいう）Ｃ２とされている。この第２の折目Ｃ２は谷折目とすることもできる。これらの折目Ｃ１〜Ｃ３には、必要に応じて罫線加工を施すのが好ましい。また、第２の折目Ｃ２における折り易さを高めるために、図示のように第２の折目Ｃ２の両端部を適宜の形状（正方形、長方形、三角形等）に切り欠くのが好ましい。なお、この切欠部は図３中に符号３ｘを付した部分である。横仕切壁部４の延出長さ４Ｌは、図示例のように組立状態における底面部２の横方向長さ２Ｌに合わせる等、適宜定めることができる。
【００１８】
一方、底面部２には、組立状態の横仕切壁部４と直交する方向に沿う部分が上方に折り出されて形成された縦仕切壁部５が設けられている。より詳細には、図２に示されるように、底面部２における横方向（第一の側縁と直交する方向）の中間部に、縦仕切壁部５となる縦仕切壁構成部分（以下、縦仕切壁部５と同じ符号を用いる）として、縦仕切壁部５の高さ５ｈの略二倍に等しい横方向幅５ｗをもって縦方向両端まで延在する壁面部分が確保されており、この縦仕切壁構成部分５の横方向中央線が山折目Ｃ４として１８０度に折り返されるとともに、壁面部分の両側縁が谷折目Ｃ５，Ｃ５として９０度に折り曲げられることにより、組立状態の横仕切壁部４と直交するように、縦仕切壁部５が立設されようになっている。これらの折目Ｃ４，Ｃ５には、必要に応じて罫線加工を施すのが好ましい。
【００１９】
さらに、横仕切壁部４における縦仕切壁部５と交差する位置に、下縁から上下方向中間部まで延在するようにスリット状の切欠１１が形成されるとともに、縦仕切壁部５における各横仕切壁部４と交差する位置に、上縁から上下方向中間部まで延在するようにスリット状の切欠１０が形成されており、縦仕切壁部５の切欠１０と横仕切壁部４の切欠１１とが噛み合わされている。図示形態のように、縦及び横仕切壁部５，４を同じ高さで底面部２から立設する場合には、縦仕切壁部５の切欠１０の上下方向長さ１０ｙと横仕切壁部４の切欠１１の上下方向長さ１１ｙとの和を、縦及び横仕切壁部５，４の高さ５ｈ，４ｈ以上となるように設定する。このため、図示形態では、縦及び横仕切壁部５，４の切欠１０，１１の上下方向長さ１０ｙ，１１ｙを、それぞれ縦及び横仕切壁部の５，４の高さ５ｈ，４ｈの半分にしている。
【００２０】
縦及び横仕切壁部５，４の各切欠１０，１１の入口部１０ｉ，１１ｉは、図示するように角取りしておくのが好ましい。これにより、各切欠１０，１１の入口部１０ｉ，１１ｉの幅が広くなるため、噛み合わせが容易になる。また、縦仕切壁部５における切欠１０，１０…の幅１０ｗは、横仕切壁部４の厚さと同じか、又はそれよりも若干広い方が好ましい。また、横仕切壁部４の切欠１１，１１…の幅１１ｗは、縦仕切壁部３の厚さの２倍と同じか、又はそれよりも若干広い方が好ましい。
【００２１】
他方、組立に際しては、例えば次の手順で行うことができる。
(1) 底面部２の各折目Ｃ４，Ｃ５で折り曲げることにより、縦仕切壁部５を折り出す。
(2) 帯状部分３４の側面構成部分３を第１の折目Ｃ１で上方に９０度谷折りする。
(3) 帯状部分３４における第２の折目Ｃ２よりも先端側部分３ａを、第２の折目Ｃ２で１８０度山折り（又は谷折り）して基端側部分３ｂに折り重ねる。
(4) 横仕切壁部４を、第３の折目Ｃ３（この状態で上下方向に沿う）で９０度山折りして、底面部２上に延出させる。
(5) 横仕切壁部４の切欠１１を縦仕切壁部５の切欠１０に噛み合わせる。
(6) 横仕切壁部５の数だけ、上記(2)〜(5)を繰り返す。
【００２２】
かくして、一枚の平坦なシートを所定形状に打ち抜いて折り曲げることにより、底面部２と、底面部２の側縁２Ｅから上方に立設された側面部３と、この側面部３の側縁から底面部２上に延出する横仕切壁部４とを有し、側面部３は、一方の側縁から上下方向に対して４５度の角度をなして他方の側縁に至る折目Ｃ２で折り重ねられた、基端側部分３ｂと先端側部分３ａとを有しており、基端側部分３ｂは底面部の側縁２Ｅから上方に延出しており、先端側部分３ａの側縁から横仕切壁部４が延出している、仕切体を組み立てることができる。
【００２３】
＜他の実施形態＞
・シートの素材は、ダンボール、ボール紙等、特に限定なく用いることができる。
・図示しないが、縦仕切壁部５に厚みを持たせる場合、縦仕切壁部５となる部分として、縦仕切壁部５の厚さに等しい横方向幅をもって縦方向両端まで延在する上面部分と、その横方向両側において縦仕切壁部５の高さ５ｈに等しい横方向幅をもって縦方向両端まで延在する一対の壁面部分とを確保し、上面部分とその両側の壁面部分との境界線をそれぞれ山折目として９０度に折り曲げ、壁面部分と底面部との境界線を谷折目として９０度に折り曲げることもできる。この場合、縦仕切壁部５は断面が略逆Ｕ字状に折り出される。
・上記例では、縦仕切壁部５を底面部の横方向中央に設けているが、これに限定されず、横方向の適宜の位置に設けることができる。また、縦仕切壁部５は複数設けることができる。
・上記例では、縦仕切壁部５と横仕切壁部４とを直交させているが、これに限定されるものではなく、任意の角度で交差させることができる。
・縦仕切壁部５が無くても良く、その場合、横仕切壁部４の下縁に突出部を設けて、この突出部を底面部２に設けた孔に差し込む等により底面部２に係止することができる。
・底面部２、横仕切壁部４、および縦仕切壁部５の形状は、長方形状をなしているが、これに限定されるものではなく、一部または全部を正方形状とするなど、適宜の形状を採用することができる。
・縦及び横仕切壁部５，４には高さの差を設けても良い。特に横仕切壁部４の下縁は底面部２に当接させる必要はなく、底面部２から離間した状態で縦仕切壁部５に固定することもできる。この場合、帯状部分３４において側面部構成部分３は正方形ではなく長方形となり、また、第２の折目Ｃ２は対角線ではなく、第１の折目Ｃ１と第３の折目Ｃ３との間において、一方の側縁から上下方向に対して４５度の角度をなして他方の側縁に至る折目となる。
【産業上の利用可能性】
【００２４】
本発明は、ダンボール箱等の箱体内に複数の物品を収納する際、物品間を仕切るために使用される仕切体として利用できるものである。
【図面の簡単な説明】
【００２５】
【図１】本発明の実施形態の展開図である。
【図２】実施形態の組立状態を示す斜視図である。
【図３】図１の横仕切壁部の拡大図である。
【符号の説明】
【００２６】
１…仕切体、２…底部、３…側面部、４…横仕切壁部、５…縦仕切壁部。
【図２】
2008162655.tif 000003
【図３】
2008162655.tif 000004
【図１】
2008162655.tif 000005